(57)【要約】【課題】  指先の外側の形状が指形と同じような曲線となり、指にフィットするとともに、滑り止め材の接着性に優れ耐久性のある作業用手袋を提供する。【解決手段】  平編を編目組織とした手袋であって、編成時には指先の湾曲面において表目を絞り込むように引っ張っている裏糸を、編成後に裏目とともに表側にして着用するようにした。表目を絞り込むように引っ張っている裏糸は、２本以上であることが好ましい。また、平編を編目組織とした手袋であって、編成後に裏目を表側にしてその裏目の上に滑り止め材を積層するとともに、編成後に裏目を表側にすることによって口ゴム部における弾性糸を表側とし、着用する際に前記弾性糸が表面に見えるようにした。【選択図】  図１
2005154983.tif 000002
【特許請求の範囲】
【請求項１】
平編を編目組織とした手袋であって、編成時には指先の湾曲面において表目を絞り込むように引っ張っている裏糸を、編成後に裏目とともに表側にして着用するようにしたことを特徴とする作業用手袋。
【請求項２】
表目を絞り込むように引っ張っている裏糸は、２本以上であることを特徴とする請求項１に記載の作業用手袋。
【請求項３】
平編を編目組織とした手袋であって、編成後に裏目を表側にしてその裏目の上に滑り止め材を積層したことを特徴とする作業用手袋。
【請求項４】
滑り止め材は、樹脂製弾性体であって、少なくとも手の平の部分に点状に設けたことを特徴とする請求項３に記載の作業用手袋。
【請求項５】
平編を編目組織とした手袋であって、編成後に裏目を表側にすることによって口ゴム部における弾性糸を表側とし、着用する際に前記弾性糸が表面に見えるようにしたことを特徴とする作業用手袋。
【請求項６】
弾性糸は、ゴム糸の周囲に繊維を巻き付けたゴム糸であって、他の編成糸の色と異なっていることを特徴とする請求項５に記載の作業用手袋。
【発明の詳細な説明】
【技術分野】
【０００１】
この発明は、いわゆる軍手として広く使用されている作業用手袋に関する。
【背景技術】
【０００２】
一般に、作業用手袋には、太番手の綿糸で編んだメリヤス製の軍手と呼ばれている手袋が使用されている。この作業用手袋のメリヤス編地は、通常、緯メリヤス（横編、丸編）であって、編目組織としては、平編を基本組織として編成されている。緯メリヤス（横編、丸編）は、編針に対して垂直に糸を供給し、つくられる編目を縦方向につなぎ合わせて編地が形成される。
【０００３】
従来、作業用手袋１０は図１に示すように、緯メリヤス編機によってまず指部１１側から編み立てられ、掌甲部１２，口ゴム部１３の順に編み立てられる。詳しくは、まず小指１１ａを編んだ後、薬指１１ｂ、中指１１ｃ、人差し指１１ｄ、親指１１ｅの順序で編んで、その後掌甲部１２，口ゴム部１３の順に編み立てられる。口ゴム部１３では、編み立て時に弾性糸（ゴム糸）を一定に伸長した状態で供給するために、編み立て後の収縮により掌甲部１２の幅よりも急激に狭くなっている。
【０００４】
上記のような平編は、編針に対し垂直に糸を供給し、つくられる編目を縦方向につなぎ合わせて編地が形成される。糸の給糸方向の編目をコース（ｃｏｕｒｓｅ）といい、編針の植えられた垂直方向の編目をウェール（ｗａｌｅ）といわれており、ループの連鎖により構成されているので、表目と裏目とが形成されることになる。
【０００５】
図４及び図５に基づいて指部分の編立について説明する。まず、１コース目の糸が供給されると、前後から交互に繰り出された編針によってジグザグに山が形成される（図の中心部参照）。図示する例では、前側に１３本の編針，後側に１３本の編針による山が形成されている。次に、２コース目の糸が供給されると、前記１コース目と同様に前側に１３本の編針，後側に１２本の編針によるループが形成される。３コース目では、前側に５本の編針，後側に７本の編針によるループが形成される。ここで、指の先端を尖らせるために編針を一挙に減少させる。
【０００６】
次いで、４コース目では、前側に７本の編針，後側に９本の編針によるループが形成され、５コース目では、前側に９本の編針，後側に１１本の編針によるループが形成され、６コース目では、前側に１１本の編針，後側に１１本の編針によるループが形成され、７コース目では、前側に１１本の編針，後側に１３本の編針によるループが形成され、８コース目から１コース目と同じ数の編針によってループが形成される。
【０００７】
このとき、図４の中央部両側に直線の点線で示す連結部分の糸Ｃ１、及び図５の中央部分に直線で示す連結部分の裏糸Ｈは、ループを形成するものではなく裏面において指先に丸みを付けるために表目を絞り込むように引っ張っている糸であって、裏糸を形成している。一方、後述するように、糸は表目に多く表れ裏目には少なく表れるから、表目の方が全体として糸量が多くなる。そして、裏糸Ｈは、表目の下側で引っ張ることになるから、指先の湾曲面は、表目側では裏目と同じような曲線とはならない。
【０００８】
ところで、平編は、表目と裏目とから形成されており、ループの連鎖によって構成されている。図６（ａ）は垂直方向のウェールである表目Ｗを示し、図６（ｂ）は給糸方向のコースである裏目Ｃを示している。このように、編み目は表面と裏面とでは、互いに直角方向となり、表目が指先に向けて縦方向に連続した状態となっているのに対して、裏目は指先に向けて横方向に連続した状態となっている。
【発明の開示】
【発明が解決しようとする課題】
【０００９】
即ち、図２（ａ）に示すように、点線で示す裏目Ｃよりも実線で示す表目Ｗの方が膨らんだ状態となっており、編成後にプレスして仕上げた状態では一層角張った状態となる。手袋を編み上げるときは、指先を設計された指形になるように編み上げられるが、湾曲面の下端の部分では表目を絞りきれず角張った状態になるのを防止できなかった。このために、手を差し入れたときに指先に緩みが生じるとともに、この緩みのために作業中に指先が運搬物や機械等に引っかかり易く危険であった。
【００１０】
また、滑りを防止するために、手の平の部分にゴム状弾性体による点状の滑り止め材を積層することが行われている。しかしながら、表目Ｗは、裏目Ｃに比べて糸量が多くきめ細かく密着しているために滑り止め材の十分な接着力が得られない。このように接着力が充分でないことから、使用中の摩擦によって滑り止め材が剥離することがあり、必ずしも満足する耐久性が得られなかった。
【００１１】
また、手を差し込む場合にも、裏目Ｃ１は指先に向けて横方向に連続した状態となっているから差し込みにくいとともに、肌が触れる裏目Ｃ１は編目が密着していないからゴツゴツした感じで肌触りが悪くフィット感がなかった。さらに、ぴったりと手に馴染まないので緩みが生じ、指の屈伸を繰り返すうちに抜け落ちそうになるなど、作業用手袋としては満足できるものではなかった。
【００１２】
そこで、この発明は、指先の外側の形状が指形と同じような曲線となり、指にフィットする作業用手袋を提供することを課題とする。また、この発明は、滑り止め材の接着性に優れ耐久性のある作業用手袋を提供することを課題とする。また、この発明は、滑り止め材を設けない場合でも滑り止め効果があり、しかもフィット感があり緩みの生じない作業用手袋を提供することを課題とする。
【課題を解決するための手段】
【００１３】
この発明に係る作業用手袋は、平編を編目組織とした手袋であって、編成時には指先の湾曲面において表目を絞り込むように引っ張っている裏糸を、編成後に裏目とともに表側にして着用するようにしたことを特徴とする。そして、前記表目を絞り込むように引っ張っている裏糸は、２本以上、好ましくは、４本以上とする。
【００１４】
この発明に係る作業用手袋は、平編を編目組織とした手袋であって、編成後に裏目を表側にしてその裏目の上に滑り止め材を積層したことを特徴とする。前記滑り止め材は、ゴム状弾性体であって、少なくとも手の平の部分に点状に設けてなる。
【００１５】
さらに、この発明に係る作業用手袋は、平編を編目組織とした手袋であって、編成後に裏目を表側にすることによって口ゴム部における弾性糸を表側とし、着用する際に前記弾性糸が表面に見えるようにしたことを特徴とする。前記弾性糸は、ゴム糸の周囲にスフ、ナイロン糸等の繊維を巻き付けたゴム糸であって、他の編成糸の色と異なっていることが好ましい。
【発明の効果】
【００１６】
この発明に係る作業用手袋によれば、編成時には指先の湾曲面において表目を絞り込むように引っ張っている裏糸を表側にすることによって、表目を押さえ込むように絞り込むことになるから、指先の形状に沿った湾曲面となり、着用したとき指先を包み込むようにフィットする。
【００１７】
この発明に係る作業用手袋によれば、編成後に表側とした裏目の上に滑り止め材を積層することによって、滑り止め材が編目の間に浸透して接着力が向上するから、摩擦によっても滑り止めが剥離することがない。
【００１８】
この発明に係る作業用手袋によれば、編成後に口ゴム部における弾性糸を表側とし、着用する際に前記弾性糸が表面に見えるようにすることによって、従来と同じ張力で編成された場合でも手首への密着力が高まる。
【発明を実施するための最良の形態】
【００１９】
以下、図面を参照して、この発明に係る作業用手袋の実施形態を説明する。図３は、この発明に係る作業用手袋の説明用平面図であって、全体に緯メリヤス組織、例えば平編で編成される。まず、小指２１側から編み立てられ、次に薬指２２を編んだ後、中指２３、人差し指２４、親指２５の順序で編んで、その後掌甲部２６，口ゴム部２７の順に編み立てられる。口ゴム部２７では、掌甲部２６の幅よりも急激に狭く編制することによって、手からずれ落ちるのを防止している。
【００２０】
この発明では、編成後に、裏目を表側にして指先に湾曲面を付けるために表目Ｗを絞り込むように引っ張っている裏糸Ｈが表側に表れるようにした。このように、前記裏糸Ｈを表側に表すことによって、裏糸Ｈは表目のループを形成する糸を包み込むことになるので、指先の角張っていた部分が内側に入り指先の外側の形状が設計された指形と同じような湾曲面となる。従って、指を差し入れたときには、指にぴったりフィットすることになる。
【００２１】
この発明に係る手袋も平編で編成した後に、裏目Ｃを表側にして着用するものであるから、手を差し込む場合にも、手と接触する表目Ｗは指先に向けて連続した状態となっている。従って、手の差込方向に接触することになり差し込みやすく、すべすべした感じで肌触りが良い。
【００２２】
また、この発明では、従来とは逆に編成後に裏目を表側にしてその表側になった裏目に滑り止め材３０を積層してなる。すなわち、少なくとも手の平の部分の裏目Ｃ１側にゴム状弾性体による点状の滑り止め材３０を積層してなる。滑り止め材の材質は特に限定されるものではなく、従来と同様の材質を使用することができる。
【００２３】
表目Ｗ１は、糸量が多くきめ細かく密着しているために滑り止め材の十分な接着力が得られないが、裏目Ｃは、ゴツゴツした感じで糸が密着していないために、滑り止め材３０が糸と糸の間に入り込み十分な接着力が得られる。このために、使用中の摩擦によっても滑り止めが剥離することがなく、十分な耐久性が得られる。滑り止め材３０の大きさや形状は、適宜決定すればよい。
【００２４】
また、この発明では、さらに、編成後に口ゴム部２６における弾性糸３３を表側にして、着用する際にコース方向に前記弾性糸３３が表面に見えるようにした。弾性糸３３としては、一般に口ゴム部に用いられる天然ゴムあるいは合成ゴムを原料とするゴム糸を用いることができ、通常ゴムの周囲にスフ、ナイロン等の繊維を巻き付けたゴム糸が用いられる。このゴムの周囲に巻き付ける繊維の色を他の編成する糸の色と異ならしめることによって、コース方向に点状に表れるから全体として模様とすることができる。
【００２５】
従来、作業用手袋は、弾性糸３３も他の糸と同一色で編成されており、しかも編み立て時に一定に伸長した状態で供給され表目を表側で収縮させているので、表目の下側に隠れて表面からは認識することができなかった。そこで、編成後に裏目を表面にして着用するようにすれば、弾性糸が表面から見えるようになり、点状の模様とすることができる。
【００２６】
また、弾性糸３３は、表目Ｗの下側で収縮させていたのに対して、弾性糸３３を表側にすれば編成時とは逆に表目Ｗの上側から押し付けた状態で収縮させるので、同じ張力で編成された場合でも手首への密着力が高まることになる。従って、指先において裏糸Ｈを表側にして表目Ｗ１を絞り込むように引っ張って丸みを持たせていることと相まって、口ゴム部における密着力によって全体としてのフィット感が向上することになる。
【図面の簡単な説明】
【００２７】
【図１】表目が表面に表れた状態の従来の作業用手袋を示す説明用正面図である。
【図２】図２（ａ）は従来の手袋の指先の形状を示す要部正面図、図２（ｂ）はこの発明に係る手袋の指先の形状を示す要部正面図である。
【図３】裏目が表面に表れた状態のこの発明の作業用手袋を示す説明用正面図である。
【図４】ループの編成状態を説明するために指先の平面において展開した状態の組織図である。
【図５】ループの編成状態を説明するために指先の側面において展開した状態の組織図である。
【図６】表目と裏目のループの状態を説明するための、（ａ）は表目の組織図、（ｂ）は裏目の組織図である。
【符号の説明】
【００２８】
２１：小指
２２：薬指
２３：中指
２４：人差し指
２５：親指
２６：掌甲部
２７：口ゴム部
３０：滑り止め材
３３：弾性糸
Ｃ：裏目
Ｈ：裏糸
Ｗ：表目
【図１】
2005154983.tif 000003
【図２】
2005154983.tif 000004
【図３】
2005154983.tif 000005
【図４】
2005154983.tif 000006
【図５】
2005154983.tif 000007
【図６】
2005154983.tif 000008